【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
光が端面から入射されることにより演出表示を行うことが可能な導光板と、
前記導光板を一方の面側と他方の面側から挟み込んで取付位置に保持する保持体と、
動作可能な可動体と、
を備え、
前記導光板が前記保持体により保持された状態において、前記導光板と前記保持体との間に隙間を有し、
前記導光板として、第１導光板と、前記第１導光板の後方の第２導光板と、を有し、
前記可動体は、前記第１導光板と前記第２導光板との間である特定位置に動作可能であり、
前記第１導光板は、第１演出表示を行うことが可能であり、
前記第２導光板は、前記第１演出表示と類似した第２演出表示を行うことが可能であり、
前記第１演出表示と前記第２演出表示とは、大きさが異なり、
前記可動体が特定位置にあるときに、前記第１演出表示は前記可動体と重なる部分が視認可能な態様で表示され、前記第２演出表示は前記可動体により一部が視認不可となるような切欠態様で表示される、
ことを特徴とする遊技機。
【手続補正２】
【補正対象書類名】明細書
【補正対象項目名】０００６
【補正方法】変更
【補正の内容】
【０００６】
前記課題を解決するために、手段Ａの遊技機は、
遊技が可能な遊技機であって、
光が端面から入射されることにより演出表示を行うことが可能な導光板と、
前記導光板を一方の面側と他方の面側から挟み込んで取付位置に保持する保持体と、
動作可能な可動体と、
を備え、
前記導光板が前記保持体により保持された状態において、前記導光板と前記保持体との間に隙間を有し、
前記導光板として、第１導光板と、前記第１導光板の後方の第２導光板と、を有し、
前記可動体は、前記第１導光板と前記第２導光板との間である特定位置に動作可能であり、
前記第１導光板は、第１演出表示を行うことが可能であり、
前記第２導光板は、前記第１演出表示と類似した第２演出表示を行うことが可能であり、
前記第１演出表示と前記第２演出表示とは、大きさが異なり、
前記可動体が特定位置にあるときに、前記第１演出表示は前記可動体と重なる部分が視認可能な態様で表示され、前記第２演出表示は前記可動体により一部が視認不可となるような切欠態様で表示される、
ことを特徴としている。
前記課題を解決するために、手段１の遊技機は、
遊技が可能な遊技機（例えば、パチンコ遊技機１）であって、
光が端面（例えば、左端面５１２Ｌ、上端面５１２Ｈなど）から入射されることにより演出表示を行うことが可能な導光板（例えば、第１導光板５１１、第２導光板６１１）と、
動作可能な可動体（例えば、可動演出装置４００の可動体４０２）と、
を備え、
前記導光板は、第１導光板（例えば、第１導光板５１１）と第２導光板（例えば、第２導光板６１１）とを有し、
前記可動体は、前記第１導光板と前記第２導光板との間である特定位置（例えば、演出位置）に動作可能である（図１７参照）
ことを特徴としている。
この特徴によれば、演出効果を高めることができる。
【手続補正３】
【補正対象書類名】明細書
【補正対象項目名】０００７
【補正方法】変更
【補正の内容】
【０００７】
手段２の遊技機は、手段１に記載の遊技機であって、
前記第１導光板（例えば、第１導光板５１１）と前記第２導光板（例えば、第２導光板６１１）とで、前記可動体の動作に連動した連動演出表示を行うことが可能である（例えば、可動体４０２のキャラクタＣが画像表示装置５に表示された「宝箱」を示す画像Ｚ５を小槌で打ち砕くことにより、その衝撃を示す「星」の演出表示パターンＺＡ１，ＺＡ２や、「宝箱」に収納されていた「コイン」の表示パターンＺＡ２，ＺＢ２が周囲に飛散している演出表示が行われる。つまり、第１導光板５１１と第２導光板６１１とで、可動体４０２の落下動作に連動した連動演出表示を行うことが可能とされている。）
ことを特徴としている。
この特徴によれば、演出効果を好適に高めることができる。
【手続補正４】
【補正対象書類名】明細書
【補正対象項目名】０００８
【補正方法】変更
【補正の内容】
【０００８】
手段３の遊技機は、手段２に記載の遊技機であって、
前記第１導光板（例えば、第１導光板５１１）と前記第２導光板の少なくとも一方は、前記連動演出表示として行う演出表示（例えば、演出表示パターンＺＡ１，ＺＢ１，ＺＡ２，ＺＢ２の表示）とは別の演出表示（例えば、演出表示パターンＺＣ１，ＺＣ２の表示）を行うことが可能である（図１１、図１２、図２１（Ｃ）参照）
ことを特徴としている。
この特徴によれば、演出効果を好適に高めることができる。
【手続補正５】
【補正対象書類名】明細書
【補正対象項目名】０００９
【補正方法】変更
【補正の内容】
【０００９】
手段４の遊技機は、手段１〜３のいずれかに記載の遊技機であって、
前記第１導光板（例えば、第１導光板５１１）は、第１演出表示パターン（例えば、演出表示パターンＺＡ１，ＺＢ１）を演出表示可能であり、
前記第２導光板（例えば、第２導光板６１１）は、前記第１演出表示パターンと類似した第２演出表示パターン（例えば、演出表示パターンＺＡ２，ＺＢ２）を演出表示可能であり、
前記第１演出表示パターンは前記第２演出表示パターンよりも大きい（図１１（Ａ）（Ｂ）参照）
ことを特徴としている。
この特徴によれば、遠近感を生じさせることができる。
【手続補正６】
【補正対象書類名】明細書
【補正対象項目名】００１０
【補正方法】変更
【補正の内容】
【００１０】
手段５の遊技機は、手段１〜４のいずれかに記載の遊技機であって、
所定画像（例えば、演出図柄や背景などの通常演出画像）を表示する所定演出（例えば、変動中演出などの通常演出）の実行中において、前記所定画像の視認性を低下させた状態（例えば、所定画像にマスクがかけられた状態）で、特定画像（例えば、擬似導光板画像）を前記所定画像よりも前面側（例えば、通常演出画像を表示する通常表示層よりも表示優先度の高いレイヤーである擬似導光板演出用表示層）に重畳して表示する特定画像演出（例えば、擬似導光板演出）を実行可能な表示手段を備え、
前記第１導光板と前記第２導光板の少なくとも一方は、前記表示手段が前記特定画像演出を実行した後に、前記特定画像に類似した演出表示を行うことが可能である（図２１（Ｆ）参照）
ことを特徴としている。
この特徴によれば、演出効果を好適に高めることができる。
【手続補正７】
【補正対象書類名】明細書
【補正対象項目名】００１１
【補正方法】変更
【補正の内容】
【００１１】
手段６の遊技機は、手段１〜５のいずれかに記載の遊技機であって、
透過性部材からなる盤面板（例えば、遊技盤２の盤面板２Ａ）と、
前記可動体として、遊技媒体（例えば、遊技球）が入賞し易い第１状態（例えば、開放状態）と入賞不能または入賞困難な第２状態（例えば、閉鎖状態）とに変化可能な可変入賞手段（例えば、普通可変入賞球装置６Ｂや特別可変入賞球装置７の入賞口扉や可動板など）と、
を備える
ことを特徴としている。
この特徴によれば、演出効果を高めることができる。
【手続補正８】
【補正対象書類名】明細書
【補正対象項目名】００１２
【補正方法】変更
【補正の内容】
【００１２】
手段７の遊技機は、手段１〜６のいずれかに記載の遊技機であって、
前記導光板（例えば、第１導光板５１１、第２導光板６１１）が取付けられる被取付部（例えば、前保持部材５０３、後保持部材５０５）を備え、
前記被取付部は、発光手段（例えば、第１導光板ＬＥＤ６００Ａ，６００Ｂ、第２導光板ＬＥＤ７００Ａ，７００Ｂ）に対する前記導光板の位置決め用のボスとして、第１位置決め用ボス（例えば、第１位置決め用ボス５５１）と第２位置決め用ボス（例えば、第２位置決め用ボス５５２）とを含む複数の位置決め用ボスを有し、
前記導光板は、前記第１位置決め用ボスが挿入可能な第１挿入部（例えば、第１孔部５１１Ａ）と、前記第２位置決め用ボスが挿入可能な第２挿入部（例えば、第２孔部５１１Ｂ、第３孔部５１１Ｃ）とを含む複数の挿入部を有し、
前記第２位置決め用ボスと前記第２挿入部とは、前記導光板を前記被取付部に取付けた状態において、前記第２位置決め用ボスと前記第２挿入部との間に生じる隙間（例えば、隙間Ｓ２、Ｓ４）が前記第１位置決め用ボスと前記第１挿入部との間に生じる隙間（例えば、隙間Ｓ１）よりも大きく、前記端面（例えば、左端面５１２Ｌ、上端面５１２Ｈ）に平行または略平行な特定方向への前記導光板の移動を許容する一方で該特定方向以外の方向への前記導光板の移動を規制するように設けられる（図１０参照）
ことを特徴としている。
この特徴によれば、導光板の熱膨張に対し好適に対応できる。
【手続補正９】
【補正対象書類名】明細書
【補正対象項目名】００１３
【補正方法】変更
【補正の内容】
【００１３】
手段８の遊技機は、手段１〜７のいずれかに記載の遊技機であって、
前記導光板（例えば、第１導光板５１１、第２導光板６１１）を取付位置に保持するための保持体（例えば、前保持部材５０３、後保持部材５０５）を備え、
前記保持体は、前記導光板を一面（例えば、前面）側と他面（例えば、背面）側とから挟み込むように前記取付位置に保持可能であり、
前記導光板を前記保持体により保持した状態において、前記導光板と前記保持体との間に隙間（例えば、隙間Ｓ２０）が設けられる（図６（Ｂ）、図８参照）
ことを特徴としている。
この特徴によれば、導光板の熱膨張に対し好適に対応できる。
【手続補正１０】
【補正対象書類名】明細書
【補正対象項目名】００１４
【補正方法】変更
【補正の内容】
【００１４】
手段９の遊技機は、手段１〜８のいずれかに記載の遊技機であって、
前記導光板（例えば、第１導光板５１１、第２導光板６１１）を取付位置に保持するための保持体（例えば、前保持部材５０３、後保持部材５０５）を備え、
前記保持体は、
前記保持体は、前記導光板を一面（例えば、前面）側と他面（例えば、背面）側とから挟み込むように前記取付位置に保持可能であり、
前記導光板を保持した状態において該導光板と対向する位置に凹凸部（例えば、凹凸部５４９）が設けられ、
前記凹凸部は、前記導光板を前記保持体により保持した状態において、前記導光板に形成されたエジャクタピン跡（例えば、エジェクタピン跡６５０）と対向しない位置に配置されている（図６（Ａ）参照）
ことを特徴としている。
この特徴によれば、導光板の熱膨張に対し好適に対応できる。
【手続補正１１】
【補正対象書類名】明細書
【補正対象項目名】００１５
【補正方法】変更
【補正の内容】
【００１５】
手段１０の遊技機は、手段１〜９のいずれかに記載の遊技機であって、
発光手段（例えば、第１導光板ＬＥＤ６００Ａ，６００Ｂ、第２導光板ＬＥＤ７００Ａ，７００Ｂ）から入射された光を前記導光板（例えば、第１導光板５１１、第２導光板６１１）に向けて出射する導光部材（例えば、第１集光レンズ５１９）と、
前記導光部材が取付けられる被取付部（例えば、ＬＥＤ基板６０１Ａ，６０１Ｂの背面）と、
を備え、
前記導光部材には、前記被取付部に取付けられた状態において該被取付部に設けられた挿入部（例えば、位置決め孔５９５Ａ）に挿入可能な位置決め用ボス（例えば、集光レンズ位置決め用ボス５９３Ｆ）が突出して設けられている（図５、図８参照）
ことを特徴としている。
この特徴によれば、位置決め用ボスを挿入部に挿入することで導光部材の取付位置が決定されるため、導光部材を好適に取付けることができる。